(57)【要約】  光学シートと、該光学シートの周縁部側に設けられ、前記光学シートを保持する保持部材４とを備える表示装置において、前記保持部材４は前記光学シートを掛止する掛止部４６を備え、前記光学シートは前記掛止部４６に掛止される被掛止部３１２を備え、前記掛止部４６は、前記被掛止部３１２を挟持しつつ前記被掛止部３１２が移動することを防止する移動防止部４３を有することにより、前記表示装置の駆動中に熱が発生して前記光学シートの熱膨張が生じた場合、該光学シートの前記保持部材４への取り付けが外れること、及び、前記光学シートの位置ズレが発生することを防ぐ。
2017017792.tif 000002
【特許請求の範囲】
【請求項１】
光学シートと、該光学シートの周縁部側に設けられ、前記光学シートを保持する保持部材とを備える表示装置において、
前記保持部材に設けられ、前記光学シートを掛止する掛止部と、
前記光学シートの縁に延設され、前記掛止部に掛止される被掛止部と、
前記掛止部に設けられ、前記被掛止部を挟持しつつ前記被掛止部が移動することを防止する移動防止部と
を備えることを特徴とする表示装置。
【請求項２】
前記被掛止部は、基部にミシン目を有していることを特徴とする請求項１に記載の表示装置。
【請求項３】
前記光学シートは重ね合わせた複数枚の単位シートを含み、
各単位シートは、重ね方向にて、異なる位置に夫々被掛止部を設けていることを特徴とする請求項１又は２に記載の表示装置。
【請求項４】
一の単位シートの縁部には、他の単位シートの被掛止部と整合する位置に、該他の単位シートの被掛止部の形状に倣う凹部が形成されていることを特徴とする請求項３に記載の表示装置。
【請求項５】
前記移動防止部は、前記保持部材における前記光学シート側端部から前記重ね方向に突設された棒状であることを特徴とする請求項３又は４に記載の表示装置。
【請求項６】
前記光学シートは矩形であり、
平行な２つの辺の縁部の対向する位置には、前記被掛止部が夫々設けられていることを特徴とする請求項１に記載の表示装置。
【請求項７】
前記光学シートの被掛止部は、前記光学シートの縁部中央付近に配置されていることを特徴とする請求項６に記載の表示装置。
【請求項８】
前記保持部材が取り付けられる箱体形状のシャーシと、
該シャーシの側壁に設けられ、前記保持部材の位置を定める位置決め部とを備え、
該位置決め部は、前記光学シートの縁に沿う方向での前記側壁の中央付近、又は、前記掛止部の付近に設けられていることを特徴とする請求項１に記載の表示装置。
【発明の詳細な説明】
【技術分野】
【０００１】
本発明は、表面に画像を表示する表示パネルと、該表示パネルの裏面と対向する一面を有する光学シートと、該光学シートの他面の周縁部側に設けられ、前記光学シートを保持する保持部材とを備える表示装置に関する。
【背景技術】
【０００２】
近年、いわゆる薄型表示装置が広く普及しており、該薄型表示装置においては、表示画面外の額縁幅を小さくした狭額縁化について様々な工夫が行われている。【０００３】
例えば、特許文献１には、光学シートに円形の係止部と、パネルシャーシ側に該係止部に対応するフックとを備え、光学シートをパネルシャーシに取り付けることにより、狭額縁化を図った表示装置が開示されている。
【先行技術文献】
【特許文献】
【０００４】
【特許文献１】国際公開第２０１４／０６９４０５号
【発明の概要】
【発明が解決しようとする課題】
【０００５】
しかしながら、特許文献１に係る表示装置においては、単に円形の係止部をフックにかけるのみで光学シートをパネルシャーシに取り付けるので、斯かる表示装置の駆動中に発生する熱によって光学シートが熱膨張した場合、係止部とフックとの係合が緩くなり、該係合が解除される虞がある。【０００６】
本発明は、斯かる事情に鑑みてなされたものであり、その目的とするところは、光学シートと、該光学シートの周縁部側に設けられ、前記光学シートを保持する保持部材とを備える表示装置において、該表示装置の駆動中に熱が発生して前記光学シートの熱膨張が生じた場合であっても、該光学シートの前記保持部材への取り付けが外れることがなく、前記光学シートの位置ズレが発生しない表示装置を提供することにある。
【課題を解決するための手段】
【０００７】
本発明に係る表示装置は、光学シートと、該光学シートの周縁部側に設けられ、前記光学シートを保持する保持部材とを備える表示装置において、前記保持部材に設けられ、前記光学シートを掛止する掛止部と、前記光学シートの縁に延設され、前記掛止部に掛止される被掛止部と、前記掛止部に設けられ、前記被掛止部を挟持しつつ前記被掛止部が移動することを防止する移動防止部とを備えることを特徴とする。【０００８】
本発明にあっては、前記移動防止部によって前記被掛止部が挟持されつつ、該被掛止部の移動が防止されるので、該被掛止部を介して前記保持部材に保持されている前記光学シートが熱膨張によって前記保持部材から外れること、又は前記光学シートの位置がずれることが未然に防止できる。【０００９】
本発明に係る表示装置は、前記被掛止部は、基部にミシン目を有していることを特徴とする。【００１０】
本発明にあっては、前記被掛止部には基部に前記ミシン目が形成されているので、該被掛止部が前記掛止部に掛止されるための変形が容易となる。【００１１】
本発明に係る表示装置は、前記光学シートは重ね合わせた複数枚の単位シートを含み、  各単位シートは、重ね方向にて、異なる位置に夫々被掛止部を設けていることを特徴とする。【００１２】
本発明にあっては、前記重ね方向において、夫々異なる位置に被掛止部を設けていることから、各単位シートの被掛止部が夫々対応する掛止部に掛止された場合、他の単位シートとで干渉がおきることを抑える。【００１３】
本発明に係る表示装置は、一の単位シートの縁部には、他の単位シートの被掛止部と整合する位置に、該他の単位シートの被掛止部の形状に倣う凹部が形成されていることを特徴とする。【００１４】
本発明にあっては、一の単位シートにおいて、他の単位シートの被掛止部と整合する位置に、該他の単位シートの被掛止部の形状に倣う凹部が形成されていることから、各単位シートの被掛止部が夫々対応する掛止部に掛止された場合、他の単位シートとで干渉がおきることを一層確実に抑える。【００１５】
本発明に係る表示装置は、前記移動防止部は、前記保持部材における前記光学シート側端部から前記重ね方向に突設された棒状であることを特徴とする。【００１６】
本発明にあっては、前記移動防止部は、前記重ね方向に長い棒状を有して、前記被掛止部を挟持しつつ、前記被掛止部の移動を防止する。【００１７】
本発明に係る表示装置は、前記光学シートは矩形であり、平行な２つの辺の縁部の対向する位置には、前記被掛止部が夫々設けられていることを特徴とする。【００１８】
本発明にあっては、前記光学シートの平行な２つの辺の縁部の対向する位置に、前記被掛止部を夫々設ける。【００１９】
本発明に係る表示装置は、前記光学シートの被掛止部は、前記光学シートの縁部中央付近に配置されていることを特徴とする。【００２０】
本発明にあっては、前記光学シートの平行な２つの辺の縁部の対向する位置であって、斯かる縁部の中央付近に前記被掛止部を夫々設ける。【００２１】
本発明に係る表示装置は、前記保持部材が取り付けられる箱体形状のシャーシと、該シャーシの側壁に設けられ、前記保持部材の位置を定める位置決め部とを備え、該位置決め部は、前記光学シートの縁に沿う方向での前記側壁の中央付近、又は、前記掛止部の付近に設けられていることを特徴とする。【００２２】
本発明にあっては、前記位置決め部が前記側壁の中央付近に設けられ、該位置決め部によって前記保持部材の位置が決められるので、該保持部材の膨張・収縮による前記移動防止部及び前記掛止部の移動を抑制する。
【発明の効果】
【００２３】
本発明によれば、部品点数を増やさず、又は、前記狭額縁化の妨げになることなく、前記表示装置の駆動中に熱が発生して前記光学シートの熱膨張が生じた場合であっても、該光学シートの前記保持部材への取り付けが外れることを防ぎ、該光学シートの位置ズレが生じない。
【図面の簡単な説明】
【００２４】
【図１】本発明の実施の形態に係るテレビジョン受像機の外観を示す正面図である。
【図２】図１のＡ−Ｂ線による横断面図である。
【図３】本実施の形態に係るテレビジョン受像機の光学シートの形状を説明する説明図である。
【図４】本実施の形態に係るテレビジョン受像機の光学シートを部分拡大した拡大図である。
【図５】本実施の形態に係るテレビジョン受像機における、光学シートの保持部材への取り付けを説明する説明図である。
【図６】本実施の形態に係るテレビジョン受像機の光学シートの被掛止部の変形例を示す説明図である。
【図７】本実施の形態に係るテレビジョン受像機における、光学シートの保持部材への取り付けの他例を説明する説明図である。
【図８】本実施の形態に係るテレビジョン受像機における、拡散シートと、プリズムシートと、拡散シートとにおいて、各被掛止部の位置関係を示す説明図である。
【図９】本実施の形態に係るテレビジョン受像機の光学シートの凹部の変形例を示す説明図である。
【図１０】本実施の形態の変形例に係るテレビジョン受像機における、拡散シートと、プリズムシートと、拡散シートとにおいて、各被掛止部の位置関係を示す説明図である。
【発明を実施するための形態】
【００２５】
以下に、本発明の実施の形態に係る表示装置を、いわゆる液晶表示パネルを備えるテレビジョン受像機に適用した場合を例として、図面に基づいて詳述する。
【００２６】
図１は本発明の実施の形態に係るテレビジョン受像機の外観を示す正面図である。図中符号１００は、本実施の形態に係るテレビジョン受像機を示しており、本実施の形態に係るテレビジョン受像機１００は、例えば、７０型のテレビジョン受像機である。以下、説明の便宜上、図面視にて、テレビジョン受像機１００の左右方向を横方向、上下方向を縦方向という。また、テレビジョン受像機１００の表（後述する液晶表示パネル２の表側）及び裏の方向を厚み方向という。
【００２７】
図２は図１のＡ−Ｂ線による横断面図であり、図２は本実施の形態に係るテレビジョン受像機１００の要部構成を概念的に示す。本実施の形態に係るテレビジョン受像機１００は、図１に示したように、表側の一面に映像を表示する矩形の液晶表示パネル２を備えている。また、液晶表示パネル２の裏側には光学シート３と、拡散板５と、反射シート８とが斯かる順に設けられている。
【００２８】
拡散板５及び反射シート８は箱体形状のバックライトシャーシ９に収容されており、光学シート３の周縁側、及びバックライトシャーシ９の側壁側は矩形の枠形状のベゼル７によって取り囲まれている。
【００２９】
光学シート３は一面が液晶表示パネル２の他面と対向するように配置されており、また、拡散板５は一面が光学シート３の他面と対向するように配置され、更に反射シート８は一面が拡散板５の他面と対向するように配置されている。
【００３０】
液晶表示パネル２より表側には、テレビジョン受像機１００の厚み方向におけるベゼル７の一端部が配置されている。ベゼル７は液晶表示パネル２側の一端部に矩形の表示窓７１が開口している。ユーザは表示窓７１を介して液晶表示パネル２の前記一面に表示される画像を視認することができる。
【００３１】
更に、ベゼル７の前記一端部の縁から表示窓７１の縁までは所定の幅を有している。換言すれば、ベゼル７の前記一端部の内側には矩形の額縁部７２が周設されている。液晶表示パネル２は、前記一面の周縁部がベゼル７の額縁部７２によって覆われている。
【００３２】
また、液晶表示パネル２は前記他面に偏光板（図示せず）を設けており、該偏光板を用いて入射される光をＰ波（水平偏光成分）とＳ波（垂直偏光成分）に分離し、Ｐ波だけが前記一面に向けて出て行き、Ｓ波は該偏光板に吸収されるように構成されている。液晶表示パネル２は、例えば電気泳動液晶パネルであっても良い。
【００３３】
液晶表示パネル２の前記他面側に設けられた光学シート３は、後述する光源から発せられ、拡散板５を介して入射される光に対して拡散、集光等を行ない、より均一な光を液晶表示パネル２に向けて出射させる、公知のものである。例えば、光学シート３は、重ね合わせた３枚の単位シート３１，３２，３３を有する。より詳しくは、光学シート３は２枚の拡散シート３１，３３と、１枚のプリズムシート３２とを有しており、プリズムシート３２は２枚の拡散シート３１，３３の間に介在している。拡散シート３１、プリズムシート３２及び拡散シート３３は同じ矩形であり、同一の大きさを有している。（以下においては、拡散シート３１、プリズムシート３２及び拡散シート３３を単位シートとも呼ぶ。）
【００３４】
２枚の拡散シート３１，３３のうち拡散板５側に配置された拡散シート３１は、拡散板５を介して前記光源から入射される光を拡散させてプリズムシート３２に入射させる光学シートである。また、プリズムシート３２は、拡散シート３１を介して入射される光を集光して拡散シート３３に向けて出射させる光学シートである。プリズムシート３２を通過した光は、プリズムシート３２に対して垂直に拡散シート３３へ入射される。
【００３５】
液晶表示パネル２側に配置された拡散シート３３は、プリズムシート３２を介して入射される光を更に拡散させてより均一な輝度分布にして液晶表示パネル２の前記他面に向けて出射させる光学シートである。
【００３６】
光学シート３の前記他面側（拡散板５との対向面側）であって、該他面の周縁部付近には光学シート３を保持する保持部材４が設けられている。より詳しくは、保持部材４は、拡散板５の前記一面とその一面が鈍角をなす傾斜板部４１と、傾斜板部４１の他面から光学シート３に対して垂直に突設された垂直板部４２とを有している。
【００３７】
保持部材４は光学シート３側の一端部４４が、光学シート３の前記他面の周縁部と当接しており、これによって光学シート３が保持部材４に保持されている。一方、保持部材４は、拡散板５側の他端部の先端面４５が拡散板５の一面の周縁部と当接している。これによって、光学シート３及び拡散板５の間は一定間隔が維持されている。また、傾斜板部４１の前記一面には、拡散板５の前記一面から出射された光を液晶表示パネル２側に反射する反射膜が形成されている。
【００３８】
傾斜板部４１の他面と、垂直板部４２との間は、特定の間隔が形成されており、該間隔は、後述するバックライトシャーシ９の側壁９１の厚みと略同じである。すなわち、バックライトシャーシ９の側壁９１が傾斜板部４１及び垂直板部４２の間に嵌められることにより、保持部材４はバックライトシャーシ９に保持される。
【００３９】
また、保持部材４は、傾斜板部４１の一端部４４から光学シート３の厚み方向に突設され、後述する光学シート３の被掛止部３１２が光学シート３の前記他面に沿う方向に移動することを防止する、後述する重ね方向に長い棒状の移動防止部４３を有している。移動防止部４３は、被掛止部３１２に対応して所定間隔を隔てて配置されたペアーが、傾斜板部４１の一端部４４の複数個所に、設けられている。より詳しくは、移動防止部４３のペアーは、光学シート３の単位シートの数だけ設けられている。移動防止部４３に対しては、後で詳しく説明する。
【００４０】
光学シート３の他面側には矩形の拡散板５が配置されている。すなわち、拡散板５の前記一面は光学シート３の前記他面と対向して配置されている。拡散板５は前記光源から出射され、その他面側から入射される光を拡散させて前記一面から光学シート３に向けて出射させる。
【００４１】
拡散板５は、例えば、拡散剤が添加された乳白色の樹脂（アクリル樹脂、ポリカーボネート樹脂等）からなる。電源としてＬＥＤのような点光源を使用した場合、拡散板５は各点光源からの光を拡散させて均一に面発光として前記一面から出射させる。
【００４２】
拡散板５の他面の周縁部付近には、拡散板５を保持する保持フレーム６が設けられている。保持フレーム６は、横断面視において、拡散板５に向けて縮幅するテーパ状を有しており、拡散板５に対して垂直である外側壁６２と、先端から表示装置の厚み方向の途中部分まで、拡散板５に対して斜めをなす内側壁６１とを有している。保持フレーム６は先端部に平坦面６３を有しており、平坦面６３に拡散板５の前記他面の周縁部が当接している。すなわち、拡散板５は、周縁部が一面側にて保持部材４の先端面４５と、他面側にて保持フレーム６の前記先端部の平坦面６３とによって挟持されている。
【００４３】
保持フレーム６は、外側壁６２が、上述した箱体形状のバックライトシャーシ９の側壁９１の内側と当接するよう、バックライトシャーシ９の底９２上に配置されている。また、保持フレーム６の内側壁６１においては、拡散板５の他面に沿う方向に反射シート８を保持するシート保持突起９４が突設されている。シート保持突起９４は矩形の板状をなしており、バックライトシャーシ９の底９２側の端部に設けられている。また、内側壁６１は、内側の一面に、前記光源から出射された光を拡散板５側に反射する反射膜が形成されている。
【００４４】
反射シート８は、例えば、矩形であり、その一面が拡散板５の前記他面と対向するようにシート保持突起９４に保持されている。詳しくは、反射シート８は、他面における周縁部がシート保持突起９４と当接されて、拡散板５の前記他面と対向するように保持されている。これによって、拡散板５及び反射シート８の間は一定間隔が維持されている。
【００４５】
また、反射シート８の前記一面には、前記光源（図示せず）が設けられている。光源は、例えば、冷陰極蛍光ランプ（ＣＣＦＬ：Ｃｏｌｄ Ｃａｔｈｏｄｅ Ｆｌｕｏｒｅｓｃｅｎｔ Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）又は発光ダイオード（ＬＥＤ：Ｌｉｇｈｔ Ｅｍｉｔｔｉｎｇ Ｄｉｏｄｅ）等である。
【００４６】
なお、ベゼル７は、液晶表示パネル２の周縁部、光学シート３の周縁部、保持部材４の移動防止部４３、及びバックライトシャーシ９の側壁９１を取り囲むように、設けられている。
【００４７】
このような構成を有する本実施の形態に係るテレビジョン受像機１００おいては、より簡単、かつ確実に、光学シート３の位置決めができるうえ、光学シート３の位置ズレを防止できる。以下、詳しく説明する。
【００４８】
図３は本実施の形態に係るテレビジョン受像機１００の光学シート３の形状を説明する説明図であり、図４は本実施の形態に係るテレビジョン受像機１００の光学シート３を部分拡大した拡大図である。図３においては、説明の便宜上、光学シート３のうち、拡散シート３１及びプリズムシート３２のみを示しており、プリズムシート３２に対しては、点線にて位置をずらして表示することにより、拡散シート３１と対比可能にしている。また、以下においては、説明の便宜上、拡散シート３１及びプリズムシート３２を例に挙げて説明し、拡散シート３３に対する説明は省略する。
【００４９】
図３及び図４に示しているように、拡散シート３１は保持部材４に取り付けるための被掛止部３１２を有しており、プリズムシート３２は保持部材４に取り付けるための被掛止部３２２を有している。被掛止部３１２は、拡散シート３１の各辺の縁に沿って夫々延設されており、被掛止部３２２は、プリズムシート３２の各辺の縁に沿って夫々延設されている。図３及び図４においては、拡散シート３１の各辺に１つずつ被掛止部３１２が設けられている場合を例示しているが、これに限るものでなく、各辺に２つ以上設けるように構成しても良い。
【００５０】
被掛止部３１２及び被掛止部３２２は、略矩形であり、当該辺に沿う方向が長手方向となるように設けられている。被掛止部３１２には前記長手方向における両端部に切り欠き３１５，３１５が形成されており、被掛止部３２２には前記長手方向における両端部に切り欠き３２５，３２５（図示せず）が形成されている。切り欠き３１５の形状は、上述した保持部材４の移動防止部４３の形状に対応している。また、被掛止部３１２及び被掛止部３２２は、前記長手方向における最大寸法がペアーの移動防止部４３間の間隔より大きく、前記長手方向における切り欠き３１５間の間隔は、ペアーの移動防止部４３間の間隔より僅かに小さい。
【００５１】
また、被掛止部３１２は、基部に、すなわち、斯かる辺の縁に沿ってミシン目３１４が形状されており、斯かる構成は被掛止部３２２においても同様である。これによって、被掛止部３１２及び被掛止部３２２が後述する保持部材４の掛止部４６に掛止される際、被掛止部３１２及び被掛止部３２２を折り曲げやすくなる。
【００５２】
図５は本実施の形態に係るテレビジョン受像機１００における、光学シート３の保持部材４への取り付けを説明する説明図である。図５においては、説明の便宜上、光学シート３のうち、拡散シート３１のみを表示している。
【００５３】
被掛止部３１２は、ミシン目３１４を用いて保持部材４側に折られた後、ペアーの移動防止部４３，４３の間に押し入れられて、ペアーの移動防止部４３，４３によって挟まれる。この際、拡散シート３１の周縁部は保持部材４の一端部４４と当接し、各移動防止部４３は、被掛止部３１２の各切り欠き３１５と係合する。従って、テレビジョン受像機１００の駆動中に発生する熱により、光学シート３が熱膨張した場合でも、被掛止部３１２と掛止部４６との掛止が緩くなることはない。
【００５４】
すなわち、保持部材４においては、ペアーの移動防止部４３及び傾斜板部４１の他面が、拡散シート３１の被掛止部３１２に対応する掛止部４６を構成する。従って、被掛止部３１２が掛止部４６に掛止されることにより、拡散シート３１は保持部材４に取り付けられる。
【００５５】
これによって、拡散シート３１が保持部材４から外れることを防止できることは言うまでもなく、光学シート３の被掛止部３１２が一端部４４に沿って、光学シート３の前記他面に沿う方向に移動することを防止する。
【００５６】
また、上述したように、拡散シート３１の各辺に、少なくとも１つの被掛止部３１２が形成されているので、斯かる効果をより確実に得ることが出来る。なお、以上の構成及び効果に対しては、プリズムシート３２及び拡散シート３３においても同様であり、詳しい説明を省略する。
【００５７】
単位シートの各辺に１つずつの被掛止部を設ける場合は、該辺の長さ方向において、中央付近に斯かる被掛止部を設けるように構成される。テレビジョン受像機１００の駆動中に発生する熱により光学シート３が熱膨張する際、シートの被掛止部の位置が膨張の起点となる重心に近づけてあることにより、膨張による影響を最小限に抑えることができる。
【００５８】
被掛止部３１２，３２２，３３２は以上の記載に限るものでない。図６は本実施の形態に係るテレビジョン受像機１００の光学シート３の被掛止部の変形例を示す説明図である。以下においては、説明の便宜上、被掛止部３１２Ａを例に挙げて説明するが、他の被掛止部おいても同様であることは言うまでもない。
【００５９】
被掛止部３１２Ａは、拡散シート３１の縁に設けられ、該縁に沿う方向を長手方向とする短冊状の基部と、該基部の両端に設けられた、２つのＬ字形状の屈曲部とを有している。前記２つの屈曲部は、当該縁に沿う方向に隔てて、夫々の先端部が互いに向き合うように設けられている。従って、被掛止部３１２Ａには、前記基部及び前記屈曲部によって、２つの切り欠き３１５Ａ，３１５Ａが形成されている。
【００６０】
図７は本実施の形態に係るテレビジョン受像機１００における、光学シート３の保持部材４への取り付けの他例を説明する説明図である。切り欠き３１５Ａの形状は、保持部材４の移動防止部４３Ａの形状に対応している。移動防止部４３Ａは、矩形の板状をなしており、移動防止部４３と同様に設けられている。被掛止部３１２Ａと掛止部４６との掛止の際、切り欠き３１５Ａ，３１５Ａが各移動防止部４３Ａと係合を行う。すなわち、各移動防止部４３Ａにおいては基部及び先端に係る縁を除く２つの縁が切り欠き３１５Ａ，３１５Ａと係合している。また、被掛止部３１２Ａは、被掛止部３１２と同様、斯かる辺の縁に沿ってミシン目３１４Ａが形状されている。
【００６１】
更に、本実施の形態に係るテレビジョン受像機１００では、拡散シート３１と、プリズムシート３２と、拡散シート３３とにおいて、被掛止部の位置が夫々異なる。
【００６２】
図８は本実施の形態に係るテレビジョン受像機１００における、拡散シート３１と、プリズムシート３２と、拡散シート３３とにおいて、各被掛止部の位置関係を示す説明図である。
【００６３】
図８に示しているように、これら単位シートの重ね方向において、各単位シートの被掛止部は夫々異なる位置に設けられている。すなわち、拡散シート３１、プリズムシート３２及び拡散シート３３は、前記重ね方向において、被掛止部３１２と被掛止部３２２と被掛止部３３２の位置が夫々異なるように構成されている。
【００６４】
従って、保持部材４には、拡散シート３１の被掛止部３１２と、プリズムシート３２の被掛止部３２２と、拡散シート３３の被掛止部３３２とに対応する３組の移動防止部４３と掛止部４６が、前記重ね方向にて、被掛止部３１２、被掛止部３２２及び被掛止部３３２と整合する位置に夫々設けられている。
【００６５】
一方、前記重ね方向において、被掛止部３１２、被掛止部３２２及び被掛止部３３２が同一位置に設けられた場合、一つの掛止部４６と複数の被掛止部とで掛止が行われることとなり、斯かる掛止が解除される虞がある。
【００６６】
しかし、本実施の形態に係るテレビジョン受像機１００においては、上述したように、前記重ね方向において、被掛止部３１２、被掛止部３２２及び被掛止部３３２を相互異なる位置に設けるので、斯かる問題を未然に防止できる。
【００６７】
一方、拡散シート３１、プリズムシート３２及び拡散シート３３は同じ矩形であって、同一の大きさを有しており、被掛止部３１２、被掛止部３２２及び被掛止部３３２の何れも当該辺の縁に沿って形成されたミシン目を有している。従って、拡散シート３１、プリズムシート３２及び拡散シート３３において、斯かるミシン目に沿って被掛止部３１２、被掛止部３２２及び被掛止部３３２を折り曲げて、夫々対応する掛止部４６との掛止を行う場合、以下のような問題が生じ得る。
【００６８】
例えば、図２に示したように、液晶表示パネル２側から拡散シート３３、プリズムシート３２、拡散シート３１の順に、保持部材４に取り付ける場合を例として説明する。すなわち、拡散シート３１よりはプリズムシート３２が液晶表示パネル２側に配置され、プリズムシート３２よりは拡散シート３３が液晶表示パネル２側に配置される。
【００６９】
この際、拡散シート３３の被掛止部３３２を保持部材４の対応する掛止部４６に掛止させると、被掛止部３３２がプリズムシート３２及び拡散シート３１の縁に跨ることになる。また、プリズムシート３２の被掛止部３２２を保持部材４の対応する掛止部４６に掛止させると、被掛止部３２２が拡散シート３１の縁に跨ることになる。従って、プリズムシート３２及び拡散シート３１の縁が拡散シート３３の被掛止部３３２に当たり、被掛止部３３２と当該掛止部４６との掛止の妨げになる。また、拡散シート３１の縁がプリズムシート３２の被掛止部３２２に当たり、被掛止部３２２と当該掛止部４６との掛止の妨げになる。
【００７０】
更に、拡散シート３３の被掛止部３３２がプリズムシート３２及び拡散シート３１の縁と当たることにより、かつ、プリズムシート３２の被掛止部３２２が拡散シート３１の縁と当たることにより、拡散シート３１、プリズムシート３２又は拡散シート３３の当該当たりに係る縁にて浮きが発生する虞もある。
【００７１】
これに対して、本実施の形態に係るテレビジョン受像機１００では、各単位シートにおいて他の単位シートの被掛止部と整合する位置に、凹部を形成している。以下、図８に基づいて、詳しく説明する。
【００７２】
上述したように、本実施の形態に係るテレビジョン受像機１００では、拡散シート３１、プリズムシート３２及び拡散シート３３において、被掛止部３１２、被掛止部３２２及び被掛止部３３２が、前記重ね方向において、相互異なる位置に設けられている。
【００７３】
また、拡散シート３１、プリズムシート３２及び拡散シート３３には、他の単位シートの被掛止部と整合する位置に、該他の単位シートの被掛止部の形状に倣う凹部を形成しており、斯かる他の単位シートの被掛止部の収容が可能である。
【００７４】
すなわち、拡散シート３１には、前記重ね方向において、プリズムシート３２の被掛止部３２２に整合する位置の縁部、及び拡散シート３３の被掛止部３３２に整合する位置の縁部に凹部３１３、３１３が夫々形成されている。また、プリズムシート３２には、前記重ね方向において、拡散シート３３の被掛止部３３２に整合する位置の縁部、及び拡散シート３１の被掛止部３１２に整合する位置の縁部に凹部３２３、３２３が夫々形成されている。かつ、拡散シート３３には、前記重ね方向において、プリズムシート３２の被掛止部３２２に整合する位置の縁部、及び拡散シート３１の被掛止部３１２に整合する位置の辺部に凹部３３３、３３３が夫々形成されている。
【００７５】
また、凹部３１３、凹部３２３及び凹部３３３は、当該辺に沿う方向を長手方向とする矩形を有しており、短手方向の寸法が、収容すべき被掛止部の厚みと同じまたは大きく、長手方向の寸法は収容すべき被掛止部の長手方向の寸法より大きい。
【００７６】
更に、以上の記載に限るものでなく、図９に示すように、それぞれの凹部は、各被掛止部の位置が近傍の場合は、隣り合う凹部がつながって一つの大きな凹部を形成し二個以上の被掛止部を同時に収容できる凹部であってもよい。
【００７７】
このような構成によって、本実施の形態に係るテレビジョン受像機１００においては、前記掛止の際、一の単位シートの縁部に形成された凹部に他の単位シートの被掛止部が収容でき、一の単位シートの縁が他の単位シートの被掛止部に当たることを未然に防止できる。また、前記掛止の際、一の単位シートの縁が他の単位シートの被掛止部に当たるとしても、これが斯かる掛止の妨げになること及び当該縁にて浮きが発生することを極力低減させることが出来る。
【００７８】
また、本発明は以上の記載に限るものでない。拡散シート３１、プリズムシート３２及び拡散シート３３が、より液晶表示パネル２側に配された単位シートの被掛止部と、前記重ね方向において整合する位置に凹部を有するように構成しても良い。
【００７９】
図１０は本実施の形態の変形例に係るテレビジョン受像機１００における、拡散シート３１と、プリズムシート３２と、拡散シート３３とにおいて、各被掛止部の位置関係を示す説明図である。図１０に示したように、拡散シート３１に対しては、プリズムシート３２及び拡散シート３３がより液晶表示パネル２側に配置されているので、前記重ね方向において、被掛止部３２２及び被掛止部３３２と整合する位置の縁部に凹部３１３が形成される。また、プリズムシート３２に対しては、より液晶表示パネル２側に配置されているものは拡散シート３３のみなので、前記重ね方向において、被掛止部３３２と整合する位置の縁部にのみ凹部３２３が形成される。
【００８０】
換言すれば、拡散シート３１においては、被掛止部３２２及び被掛止部３３２に対応する凹部３１３，３１３を形成し、プリズムシート３２においては、被掛止部３３２に対応する凹部３２３のみを形成すればよく、拡散シート３３においての凹部３３３の形成は不要である。
【００８１】
このような構成によっても、上述したように、一の単位シートの縁が他の単位シートの被掛止部に当たることを未然に防止でき、かつ、前記掛止の際、一の単位シートの縁が他の単位シートの被掛止部に当たるとしても、これが斯かる掛止の妨げになること及び当該縁にて浮きが発生することを極力低減させることが出来る。
【００８２】
以上においては、拡散シート３１、プリズムシート３２及び拡散シート３３の各辺の縁部に少なくとも１つの被掛止部が設けられている場合を例として説明した。しかし、本発明はこれに限るものでない。
【００８３】
例えば、拡散シート３１、プリズムシート３２及び拡散シート３３の４つの辺のうち、対応する２つの辺にのみ被掛止部を設けるように構成しても良い。これによって、組み立てにおける作業性が向上され、製造コストの低減を図ることが出来る。
【００８４】
以上の説明においては、テレビジョン受像機１００が直下型のバックライトを備えている表示装置である場合を例に挙げて説明したが、本発明はこれに限るものでなく、テレビジョン受像機１００がエッジ型のバックライトを備えている表示装置であっても良い。
【００８５】
以上の説明において光学シート３は、拡散シート３１、プリズムシート３２及び拡散シート３３を含む場合を例としたが、本発明はこれに限るものでない。シートの構成は多種多様であり、上述した以外の仕様においても本発明は有効である。
【００８６】
以上においては、単位シートの各辺の中央付近に前記被掛止部を設ける構成を例に挙げて説明したが、本発明はこれに限るものでない。矩形である前記単位シートにおいて、平行である２つの辺の縁部の対向する位置に、前記被掛止部が夫々設けられている構成であっても良い。
換言すれば、前記単位シートにおいて、平行である何れか２つの辺の縁部に、該２つの辺間の中央線に対して対称する位置に、前記被掛止部が夫々設けられていても良い。          
【００８７】
更に、本発明は以上の記載に限るものでない。以下、詳しく説明する。
例えば、バックライトシャーシ９の側壁９１の外側に、保持部材４の位置を定める位置定め突起（位置決め部）を設け、かつ、保持部材４には該位置決め突起に対応する孔を設けることにより、斯かる位置決め突起及び孔の係合によって、バックライトシャーシ９に保持部材４が保持される構成であっても良い。この際、該位置決め部は、光学シート３の縁に沿う方向での側壁９１の中央付近、又は、掛止部４６の付近に設けられる。
【００８８】
これにより、前記保持部材４の膨張・収縮によって移動防止部４３及び掛止部４６の位置が移動され、光学シート３に影響を与えることを最小限に抑えることができる。
【符号の説明】
【００８９】
３  光学シート
４  保持部材
４３，４３Ａ  移動防止部
４６  掛止部
１００  テレビジョン受像機
３１２，３１２Ａ，３２２  被掛止部
３１４，３１４Ａ  ミシン目
３１５，３１５Ａ  凹部
【図１】
2017017792.tif 000003
【図２】
2017017792.tif 000004
【図３】
2017017792.tif 000005
【図４】
2017017792.tif 000006
【図５】
2017017792.tif 000007
【図６】
2017017792.tif 000008
【図７】
2017017792.tif 000009
【図８】
2017017792.tif 000010
【図９】
2017017792.tif 000011
【図１０】
2017017792.tif 000012
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
光学シートと、該光学シートの周縁部を保持する保持部材とを備える表示装置において、
前記光学シートの縁に延設された被掛止部と、
前記保持部材に設けられ、前記光学シートの前記被掛止部を掛止する掛止部と、
前記掛止部に設けられ、前記被掛止部が移動することを防止する移動防止部と
を備え、
前記光学シートは重ね合わせた複数枚の単位シートを含み、
一の単位シートの縁には、他の単位シートの前記被掛止部と整合する位置に、該他の単位シートの被掛止部の形状に倣う凹部が形成されていることを特徴とする表示装置。
【請求項２】
前記被掛止部は、基部にミシン目を有していることを特徴とする請求項１に記載の表示装置。
【請求項３】
各単位シートは、重ね方向にて、異なる位置に夫々被掛止部を設けていることを特徴とする請求項１又は２に記載の表示装置。
【請求項４】
前記移動防止部は、前記保持部材における前記光学シート側の端部から前記重ね方向に突設されていることを特徴とする請求項１〜３のいずれか一項に記載の表示装置。
【請求項５】
前記移動防止部は棒状であり、前記光学シートの縁に沿って所定間隔を隔てて一対設けられ、
前記被掛止部は、前記光学シートの縁に沿う方向の両端部に一対の前記移動防止部と係合する切り欠きを有し、一対の前記移動防止部に挟持される、請求項４に記載の表示装置。
【請求項６】
前記移動防止部は矩形板状であり、
前記被掛止部は、前記光学シートの縁に沿う方向を長手方向とする基部と、前記基部の長手方向の両端に互いに隔てて設けられた２つのＬ字形状の屈曲部とを有し、
前記屈曲部のそれぞれの先端部は互いに向き合うように配置され、
前記基部と２つの前記屈曲部とによって、前記移動防止部の前記光学シートの縁に沿う方向の両端部に係合する２つの切り欠きが形成されている、請求項４に記載の表示装置。
【請求項７】
前記光学シートは矩形であり、
前記光学シートの平行な２つの辺の縁の対向する位置には、前記被掛止部が夫々設けられていることを特徴とする請求項１〜６のいずれか一項に記載の表示装置。
【請求項８】
前記光学シートの被掛止部は、前記光学シートの縁の中央付近に配置されていることを特徴とする請求項７に記載の表示装置。
【請求項９】
前記保持部材が取り付けられる箱体形状のシャーシと、
該シャーシの側壁に設けられ、前記保持部材の位置を定める位置決め部とを備え、
該位置決め部は、前記光学シートの縁に沿う方向での前記側壁の中央付近、又は、前記掛止部の付近に設けられていることを特徴とする請求項１〜８のいずれか一項に記載の表示装置。
【請求項１０】
光学シートと、該光学シートの周縁部を保持する保持部材とを備える表示装置において、
前記光学シートの縁に延設された被掛止部と、
前記保持部材に設けられ、前記光学シートの前記被掛止部を掛止する掛止部と、
前記掛止部に設けられ、前記被掛止部が移動することを防止する移動防止部とを備え、
前記移動防止部は、前記保持部材における前記光学シート側の端部から前記光学シートの厚み方向に突設され、
前記被掛止部は前記移動防止部により挟持されるか、または前記移動防止部を挟持する、表示装置。
【請求項１１】
前記被掛止部は、基部にミシン目を有していることを特徴とする請求項１０に記載の表示装置。
【請求項１２】
前記光学シートは重ね合わせた複数枚の単位シートを含み、
各単位シートは、重ね方向にて、異なる位置に夫々被掛止部を設けていることを特徴とする請求項１０又は１１に記載の表示装置。
【請求項１３】
前記移動防止部は棒状であり、前記光学シートの縁に沿って所定間隔を隔てて一対設けられ、
前記被掛止部は、前記光学シートの縁に沿う方向の両端部に一対の前記移動防止部と係合する切り欠きを有し、一対の前記移動防止部に挟持される、請求項１０〜１２のいずれか一項に記載の表示装置。
【請求項１４】
前記移動防止部は矩形板状であり、
前記被掛止部は、前記光学シートの縁に沿う方向を長手方向とする基部と、前記基部の長手方向の両端に互いに隔てて設けられた２つのＬ字形状の屈曲部とを有し、
前記屈曲部のそれぞれの先端部は互いに向き合うように配置され、
前記基部と２つの前記屈曲部とによって、前記移動防止部の前記光学シートの縁に沿う方向の両端部に係合する２つの切り欠きが形成されている、請求項１０〜１２のいずれか一項に記載の表示装置。
【請求項１５】
前記光学シートは矩形であり、
前記光学シートの平行な２つの辺の縁の対向する位置には、前記被掛止部が夫々設けられていることを特徴とする請求項１０〜１４のいずれか一項に記載の表示装置。
【請求項１６】
前記光学シートの被掛止部は、前記光学シートの縁の中央付近に配置されていることを特徴とする請求項１５に記載の表示装置。
【請求項１７】
前記保持部材が取り付けられる箱体形状のシャーシと、
該シャーシの側壁に設けられ、前記保持部材の位置を定める位置決め部とを備え、
該位置決め部は、前記光学シートの縁に沿う方向での前記側壁の中央付近、又は、前記掛止部の付近に設けられていることを特徴とする請求項１０〜１６のいずれか一項に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、表面に画像を表示する表示パネルと、該表示パネルの裏面と対向する一面を有する光学シートと、該光学シートの他面の周縁部側に設けられ、前記光学シートを保持する保持部材とを備える表示装置に関する。
【背景技術】
【０００２】
近年、いわゆる薄型表示装置が広く普及しており、該薄型表示装置においては、表示画面外の額縁幅を小さくした狭額縁化について様々な工夫が行われている。
【０００３】
例えば、特許文献１には、光学シートに円形の係止部と、パネルシャーシ側に該係止部に対応するフックとを備え、光学シートをパネルシャーシに取り付けることにより、狭額縁化を図った表示装置が開示されている。
【先行技術文献】
【特許文献】
【０００４】
【特許文献１】国際公開第２０１４／０６９４０５号
【発明の概要】
【発明が解決しようとする課題】
【０００５】
しかしながら、特許文献１に係る表示装置においては、単に円形の係止部をフックにかけるのみで光学シートをパネルシャーシに取り付けるので、斯かる表示装置の駆動中に発生する熱によって光学シートが熱膨張した場合、係止部とフックとの係合が緩くなり、該係合が解除される虞がある。
【０００６】
本発明は、斯かる事情に鑑みてなされたものであり、その目的とするところは、光学シートと、該光学シートの周縁部側に設けられ、前記光学シートを保持する保持部材とを備える表示装置において、該表示装置の駆動中に熱が発生して前記光学シートの熱膨張が生じた場合であっても、該光学シートの前記保持部材への取り付けが外れることがなく、前記光学シートの位置ズレが発生しない表示装置を提供することにある。
【課題を解決するための手段】
【０００７】
本発明に係る表示装置は、光学シートと、該光学シートの周縁部側に設けられ、前記光学シートを保持する保持部材とを備える表示装置において、前記保持部材に設けられ、前記光学シートを掛止する掛止部と、前記光学シートの縁に延設され、前記掛止部に掛止される被掛止部と、前記掛止部に設けられ、前記被掛止部が移動することを防止する移動防止部とを備えることを特徴とする。
【０００８】
本発明にあっては、前記移動防止部によって該被掛止部の移動が防止されるので、該被掛止部を介して前記保持部材に保持されている前記光学シートが熱膨張によって前記保持部材から外れること、又は前記光学シートの位置がずれることが未然に防止できる。
【０００９】
本発明に係る表示装置は、前記被掛止部は、基部にミシン目を有していることを特徴とする。
【００１０】
本発明にあっては、前記被掛止部には基部に前記ミシン目が形成されているので、該被掛止部が前記掛止部に掛止されるための変形が容易となる。
【００１１】
本発明に係る表示装置は、前記光学シートは重ね合わせた複数枚の単位シートを含み、  各単位シートは、重ね方向にて、異なる位置に夫々被掛止部を設けていることを特徴とする。
【００１２】
本発明にあっては、前記重ね方向において、夫々異なる位置に被掛止部を設けていることから、各単位シートの被掛止部が夫々対応する掛止部に掛止された場合、他の単位シートとで干渉がおきることを抑える。
【００１３】
本発明に係る表示装置は、一の単位シートの縁には、他の単位シートの被掛止部と整合する位置に、該他の単位シートの被掛止部の形状に倣う凹部が形成されていることを特徴とする。
【００１４】
本発明にあっては、一の単位シートにおいて、他の単位シートの被掛止部と整合する位置に、該他の単位シートの被掛止部の形状に倣う凹部が形成されていることから、各単位シートの被掛止部が夫々対応する掛止部に掛止された場合、他の単位シートとで干渉がおきることを一層確実に抑える。
【００１５】
本発明に係る表示装置は、前記移動防止部は、前記保持部材における前記光学シート側端部から前記重ね方向に突設された棒状であることを特徴とする。
【００１６】
本発明にあっては、前記移動防止部は、前記重ね方向に長い棒状を有して、前記被掛止部を挟持しつつ、前記被掛止部の移動を防止する。
【００１７】
本発明に係る表示装置は、前記光学シートは矩形であり、平行な２つの辺の縁の対向する位置には、前記被掛止部が夫々設けられていることを特徴とする。
【００１８】
本発明にあっては、前記光学シートの平行な２つの辺の縁の対向する位置に、前記被掛止部を夫々設ける。
【００１９】
本発明に係る表示装置は、前記光学シートの被掛止部は、前記光学シートの縁の中央付近に配置されていることを特徴とする。
【００２０】
本発明にあっては、前記光学シートの平行な２つの辺の縁の対向する位置であって、斯かる縁の中央付近に前記被掛止部を夫々設ける。
【００２１】
本発明に係る表示装置は、前記保持部材が取り付けられる箱体形状のシャーシと、該シャーシの側壁に設けられ、前記保持部材の位置を定める位置決め部とを備え、該位置決め部は、前記光学シートの縁に沿う方向での前記側壁の中央付近、又は、前記掛止部の付近に設けられていることを特徴とする。
【００２２】
本発明にあっては、前記位置決め部が前記側壁の中央付近に設けられ、該位置決め部によって前記保持部材の位置が決められるので、該保持部材の膨張・収縮による前記移動防止部及び前記掛止部の移動を抑制する。
【発明の効果】
【００２３】
本発明によれば、部品点数を増やさず、又は、前記狭額縁化の妨げになることなく、前記表示装置の駆動中に熱が発生して前記光学シートの熱膨張が生じた場合であっても、該光学シートの前記保持部材への取り付けが外れることを防ぎ、該光学シートの位置ズレが生じない。
【図面の簡単な説明】
【００２４】
【図１】本発明の実施の形態に係るテレビジョン受像機の外観を示す正面図である。
【図２】図１のＡ−Ｂ線による横断面図である。
【図３】本実施の形態に係るテレビジョン受像機の光学シートの形状を説明する説明図である。
【図４】本実施の形態に係るテレビジョン受像機の光学シートを部分拡大した拡大図である。
【図５】本実施の形態に係るテレビジョン受像機における、光学シートの保持部材への取り付けを説明する説明図である。
【図６】本実施の形態に係るテレビジョン受像機の光学シートの被掛止部の変形例を示す説明図である。
【図７】本実施の形態に係るテレビジョン受像機における、光学シートの保持部材への取り付けの他例を説明する説明図である。
【図８】本実施の形態に係るテレビジョン受像機における、拡散シートと、プリズムシートと、拡散シートとにおいて、各被掛止部の位置関係を示す説明図である。
【図９】本実施の形態に係るテレビジョン受像機の光学シートの凹部の変形例を示す説明図である。
【図１０】本実施の形態の変形例に係るテレビジョン受像機における、拡散シートと、プリズムシートと、拡散シートとにおいて、各被掛止部の位置関係を示す説明図である。
【発明を実施するための形態】
【００２５】
以下に、本発明の実施の形態に係る表示装置を、いわゆる液晶表示パネルを備えるテレビジョン受像機に適用した場合を例として、図面に基づいて詳述する。
【００２６】
図１は本発明の実施の形態に係るテレビジョン受像機の外観を示す正面図である。図中符号１００は、本実施の形態に係るテレビジョン受像機を示しており、本実施の形態に係るテレビジョン受像機１００は、例えば、７０型のテレビジョン受像機である。以下、説明の便宜上、図面視にて、テレビジョン受像機１００の左右方向を横方向、上下方向を縦方向という。また、テレビジョン受像機１００の表（後述する液晶表示パネル２の表側）及び裏の方向を厚み方向という。
【００２７】
図２は図１のＡ−Ｂ線による横断面図であり、図２は本実施の形態に係るテレビジョン受像機１００の要部構成を概念的に示す。本実施の形態に係るテレビジョン受像機１００は、図１に示したように、表側の一面に映像を表示する矩形の液晶表示パネル２を備えている。また、液晶表示パネル２の裏側には光学シート３と、拡散板５と、反射シート８とが斯かる順に設けられている。
【００２８】
拡散板５及び反射シート８は箱体形状のバックライトシャーシ９に収容されており、光学シート３の周縁側、及びバックライトシャーシ９の側壁側は矩形の枠形状のベゼル７によって取り囲まれている。
【００２９】
光学シート３は一面が液晶表示パネル２の他面と対向するように配置されており、また、拡散板５は一面が光学シート３の他面と対向するように配置され、更に反射シート８は一面が拡散板５の他面と対向するように配置されている。
【００３０】
液晶表示パネル２より表側には、テレビジョン受像機１００の厚み方向におけるベゼル７の一端部が配置されている。ベゼル７は液晶表示パネル２側の一端部に矩形の表示窓７１が開口している。ユーザは表示窓７１を介して液晶表示パネル２の前記一面に表示される画像を視認することができる。
【００３１】
更に、ベゼル７の前記一端部の縁から表示窓７１の縁までは所定の幅を有している。換言すれば、ベゼル７の前記一端部の内側には矩形の額縁部７２が周設されている。液晶表示パネル２は、前記一面の周縁部がベゼル７の額縁部７２によって覆われている。
【００３２】
また、液晶表示パネル２は前記他面に偏光板（図示せず）を設けており、該偏光板を用いて入射される光をＰ波（水平偏光成分）とＳ波（垂直偏光成分）に分離し、Ｐ波だけが前記一面に向けて出て行き、Ｓ波は該偏光板に吸収されるように構成されている。液晶表示パネル２は、例えば電気泳動液晶パネルであっても良い。
【００３３】
液晶表示パネル２の前記他面側に設けられた光学シート３は、後述する光源から発せられ、拡散板５を介して入射される光に対して拡散、集光等を行ない、より均一な光を液晶表示パネル２に向けて出射させる、公知のものである。例えば、光学シート３は、重ね合わせた３枚の単位シート３１，３２，３３を有する。より詳しくは、光学シート３は２枚の拡散シート３１，３３と、１枚のプリズムシート３２とを有しており、プリズムシート３２は２枚の拡散シート３１，３３の間に介在している。拡散シート３１、プリズムシート３２及び拡散シート３３は同じ矩形であり、同一の大きさを有している。（以下においては、拡散シート３１、プリズムシート３２及び拡散シート３３を単位シートとも呼ぶ。）
【００３４】
２枚の拡散シート３１，３３のうち拡散板５側に配置された拡散シート３１は、拡散板５を介して前記光源から入射される光を拡散させてプリズムシート３２に入射させる光学シートである。また、プリズムシート３２は、拡散シート３１を介して入射される光を集光して拡散シート３３に向けて出射させる光学シートである。プリズムシート３２を通過した光は、プリズムシート３２に対して垂直に拡散シート３３へ入射される。
【００３５】
液晶表示パネル２側に配置された拡散シート３３は、プリズムシート３２を介して入射される光を更に拡散させてより均一な輝度分布にして液晶表示パネル２の前記他面に向けて出射させる光学シートである。
【００３６】
光学シート３の前記他面側（拡散板５との対向面側）であって、該他面の周縁部付近には光学シート３を保持する保持部材４が設けられている。より詳しくは、保持部材４は、拡散板５の前記一面とその一面が鈍角をなす傾斜板部４１と、傾斜板部４１の他面から光学シート３に対して垂直に突設された垂直板部４２とを有している。
【００３７】
保持部材４は光学シート３側の一端部４４が、光学シート３の前記他面の周縁部と当接しており、これによって光学シート３が保持部材４に保持されている。一方、保持部材４は、拡散板５側の他端部の先端面４５が拡散板５の一面の周縁部と当接している。これによって、光学シート３及び拡散板５の間は一定間隔が維持されている。また、傾斜板部４１の前記一面には、拡散板５の前記一面から出射された光を液晶表示パネル２側に反射する反射膜が形成されている。
【００３８】
傾斜板部４１の他面と、垂直板部４２との間は、特定の間隔が形成されており、該間隔は、後述するバックライトシャーシ９の側壁９１の厚みと略同じである。すなわち、バックライトシャーシ９の側壁９１が傾斜板部４１及び垂直板部４２の間に嵌められることにより、保持部材４はバックライトシャーシ９に保持される。
【００３９】
また、保持部材４は、傾斜板部４１の一端部４４から光学シート３の厚み方向に突設され、後述する光学シート３の被掛止部３１２が光学シート３の前記他面に沿う方向に移動することを防止する、後述する重ね方向に長い棒状の移動防止部４３を有している。移動防止部４３は、被掛止部３１２に対応して所定間隔を隔てて配置されたペアーが、傾斜板部４１の一端部４４の複数個所に、設けられている。より詳しくは、移動防止部４３のペアーは、光学シート３の単位シートの数だけ設けられている。移動防止部４３に対しては、後で詳しく説明する。
【００４０】
光学シート３の他面側には矩形の拡散板５が配置されている。すなわち、拡散板５の前記一面は光学シート３の前記他面と対向して配置されている。拡散板５は前記光源から出射され、その他面側から入射される光を拡散させて前記一面から光学シート３に向けて出射させる。
【００４１】
拡散板５は、例えば、拡散剤が添加された乳白色の樹脂（アクリル樹脂、ポリカーボネート樹脂等）からなる。光源としてＬＥＤのような点光源を使用した場合、拡散板５は各点光源からの光を拡散させて均一に面発光として前記一面から出射させる。
【００４２】
拡散板５の他面の周縁部付近には、拡散板５を保持する保持フレーム６が設けられている。保持フレーム６は、横断面視において、拡散板５に向けて縮幅するテーパ状を有しており、拡散板５に対して垂直である外側壁６２と、先端から表示装置の厚み方向の途中部分まで、拡散板５に対して斜めをなす内側壁６１とを有している。保持フレーム６は先端部に平坦面６３を有しており、平坦面６３に拡散板５の前記他面の周縁部が当接している。すなわち、拡散板５は、周縁部が一面側にて保持部材４の先端面４５と、他面側にて保持フレーム６の前記先端部の平坦面６３とによって挟持されている。
【００４３】
保持フレーム６は、外側壁６２が、上述した箱体形状のバックライトシャーシ９の側壁９１の内側と当接するよう、バックライトシャーシ９の底９２上に配置されている。また、保持フレーム６の内側壁６１においては、拡散板５の他面に沿う方向に反射シート８を保持するシート保持突起９４が突設されている。シート保持突起９４は矩形の板状をなしており、バックライトシャーシ９の底９２側の端部に設けられている。また、内側壁６１は、内側の一面に、前記光源から出射された光を拡散板５側に反射する反射膜が形成されている。
【００４４】
反射シート８は、例えば、矩形であり、その一面が拡散板５の前記他面と対向するようにシート保持突起９４に保持されている。詳しくは、反射シート８は、他面における周縁部がシート保持突起９４と当接されて、拡散板５の前記他面と対向するように保持されている。これによって、拡散板５及び反射シート８の間は一定間隔が維持されている。
【００４５】
また、反射シート８の前記一面には、前記光源（図示せず）が設けられている。光源は、例えば、冷陰極蛍光ランプ（ＣＣＦＬ：Ｃｏｌｄ Ｃａｔｈｏｄｅ Ｆｌｕｏｒｅｓｃｅｎｔ Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）又は発光ダイオード（ＬＥＤ：Ｌｉｇｈｔ Ｅｍｉｔｔｉｎｇ Ｄｉｏｄｅ）等である。
【００４６】
なお、ベゼル７は、液晶表示パネル２の周縁部、光学シート３の周縁部、保持部材４の移動防止部４３、及びバックライトシャーシ９の側壁９１を取り囲むように、設けられている。
【００４７】
このような構成を有する本実施の形態に係るテレビジョン受像機１００おいては、より簡単、かつ確実に、光学シート３の位置決めができるうえ、光学シート３の位置ズレを防止できる。以下、詳しく説明する。
【００４８】
図３は本実施の形態に係るテレビジョン受像機１００の光学シート３の形状を説明する説明図であり、図４は本実施の形態に係るテレビジョン受像機１００の光学シート３を部分拡大した拡大図である。図３においては、説明の便宜上、光学シート３のうち、拡散シート３１及びプリズムシート３２のみを示しており、プリズムシート３２に対しては、点線にて位置をずらして表示することにより、拡散シート３１と対比可能にしている。また、以下においては、説明の便宜上、拡散シート３１及びプリズムシート３２を例に挙げて説明し、拡散シート３３に対する説明は省略する。
【００４９】
図３及び図４に示しているように、拡散シート３１は保持部材４に取り付けるための被掛止部３１２を有しており、プリズムシート３２は保持部材４に取り付けるための被掛止部３２２を有している。被掛止部３１２は、拡散シート３１の各辺の縁に沿って夫々延設されており、被掛止部３２２は、プリズムシート３２の各辺の縁に沿って夫々延設されている。図３及び図４においては、拡散シート３１の各辺に１つずつ被掛止部３１２が設けられている場合を例示しているが、これに限るものでなく、各辺に２つ以上設けるように構成しても良い。
【００５０】
被掛止部３１２及び被掛止部３２２は、略矩形であり、当該辺に沿う方向が長手方向となるように設けられている。被掛止部３１２には前記長手方向における両端部に切り欠き３１５，３１５が形成されており、被掛止部３２２には前記長手方向における両端部に切り欠き３２５，３２５（図示せず）が形成されている。切り欠き３１５の形状は、上述した保持部材４の移動防止部４３の形状に対応している。また、被掛止部３１２及び被掛止部３２２は、前記長手方向における最大寸法がペアーの移動防止部４３間の間隔より大きく、前記長手方向における切り欠き３１５間の間隔は、ペアーの移動防止部４３間の間隔より僅かに小さい。
【００５１】
また、被掛止部３１２は、基部に、すなわち、斯かる辺の縁に沿ってミシン目３１４が形状されており、斯かる構成は被掛止部３２２においても同様である。これによって、被掛止部３１２及び被掛止部３２２が後述する保持部材４の掛止部４６に掛止される際、被掛止部３１２及び被掛止部３２２を折り曲げやすくなる。
【００５２】
図５は本実施の形態に係るテレビジョン受像機１００における、光学シート３の保持部材４への取り付けを説明する説明図である。図５においては、説明の便宜上、光学シート３のうち、拡散シート３１のみを表示している。
【００５３】
被掛止部３１２は、ミシン目３１４を用いて保持部材４側に折られた後、ペアーの移動防止部４３，４３の間に押し入れられて、ペアーの移動防止部４３，４３によって挟まれる。この際、拡散シート３１の周縁部は保持部材４の一端部４４と当接し、各移動防止部４３は、被掛止部３１２の各切り欠き３１５と係合する。従って、テレビジョン受像機１００の駆動中に発生する熱により、光学シート３が熱膨張した場合でも、被掛止部３１２と掛止部４６との掛止が緩くなることはない。
【００５４】
すなわち、保持部材４においては、ペアーの移動防止部４３及び傾斜板部４１の他面が、拡散シート３１の被掛止部３１２に対応する掛止部４６を構成する。従って、被掛止部３１２が掛止部４６に掛止されることにより、拡散シート３１は保持部材４に取り付けられる。
【００５５】
これによって、拡散シート３１が保持部材４から外れることを防止できることは言うまでもなく、光学シート３の被掛止部３１２が一端部４４に沿って、光学シート３の前記他面に沿う方向に移動することを防止する。
【００５６】
また、上述したように、拡散シート３１の各辺に、少なくとも１つの被掛止部３１２が形成されているので、斯かる効果をより確実に得ることが出来る。なお、以上の構成及び効果に対しては、プリズムシート３２及び拡散シート３３においても同様であり、詳しい説明を省略する。
【００５７】
単位シートの各辺に１つずつの被掛止部を設ける場合は、該辺の長さ方向において、中央付近に斯かる被掛止部を設けるように構成される。テレビジョン受像機１００の駆動中に発生する熱により光学シート３が熱膨張する際、シートの被掛止部の位置が膨張の起点となる重心に近づけてあることにより、膨張による影響を最小限に抑えることができる。
【００５８】
被掛止部３１２，３２２，３３２は以上の記載に限るものでない。図６は本実施の形態に係るテレビジョン受像機１００の光学シート３の被掛止部の変形例を示す説明図である。以下においては、説明の便宜上、被掛止部３１２Ａを例に挙げて説明するが、他の被掛止部においても同様であることは言うまでもない。
【００５９】
被掛止部３１２Ａは、拡散シート３１の縁に設けられ、該縁に沿う方向を長手方向とする短冊状の基部と、該基部の両端に設けられた、２つのＬ字形状の屈曲部とを有している。前記２つの屈曲部は、当該縁に沿う方向に隔てて、夫々の先端部が互いに向き合うように設けられている。従って、被掛止部３１２Ａには、前記基部及び前記屈曲部によって、２つの切り欠き３１５Ａ，３１５Ａが形成されている。
【００６０】
図７は本実施の形態に係るテレビジョン受像機１００における、光学シート３の保持部材４への取り付けの他例を説明する説明図である。切り欠き３１５Ａの形状は、保持部材４の移動防止部４３Ａの形状に対応している。移動防止部４３Ａは、矩形の板状をなしており、移動防止部４３と同様に設けられている。被掛止部３１２Ａと掛止部４６との掛止の際、切り欠き３１５Ａ，３１５Ａが各移動防止部４３Ａと係合を行う。すなわち、各移動防止部４３Ａにおいては基部及び先端に係る縁を除く２つの縁が切り欠き３１５Ａ，３１５Ａと係合している。また、被掛止部３１２Ａは、被掛止部３１２と同様、斯かる辺の縁に沿ってミシン目３１４Ａが形状されている。
【００６１】
更に、本実施の形態に係るテレビジョン受像機１００では、拡散シート３１と、プリズムシート３２と、拡散シート３３とにおいて、被掛止部の位置が夫々異なる。
【００６２】
図８は本実施の形態に係るテレビジョン受像機１００における、拡散シート３１と、プリズムシート３２と、拡散シート３３とにおいて、各被掛止部の位置関係を示す説明図である。
【００６３】
図８に示しているように、これら単位シートの重ね方向において、各単位シートの被掛止部は夫々異なる位置に設けられている。すなわち、拡散シート３１、プリズムシート３２及び拡散シート３３は、前記重ね方向において、被掛止部３１２と被掛止部３２２と被掛止部３３２の位置が夫々異なるように構成されている。
【００６４】
従って、保持部材４には、拡散シート３１の被掛止部３１２と、プリズムシート３２の被掛止部３２２と、拡散シート３３の被掛止部３３２とに対応する３組の移動防止部４３と掛止部４６が、前記重ね方向にて、被掛止部３１２、被掛止部３２２及び被掛止部３３２と整合する位置に夫々設けられている。
【００６５】
一方、前記重ね方向において、被掛止部３１２、被掛止部３２２及び被掛止部３３２が同一位置に設けられた場合、一つの掛止部４６と複数の被掛止部とで掛止が行われることとなり、斯かる掛止が解除される虞がある。
【００６６】
しかし、本実施の形態に係るテレビジョン受像機１００においては、上述したように、前記重ね方向において、被掛止部３１２、被掛止部３２２及び被掛止部３３２を相互異なる位置に設けるので、斯かる問題を未然に防止できる。
【００６７】
一方、拡散シート３１、プリズムシート３２及び拡散シート３３は同じ矩形であって、同一の大きさを有しており、被掛止部３１２、被掛止部３２２及び被掛止部３３２の何れも当該辺の縁に沿って形成されたミシン目を有している。従って、拡散シート３１、プリズムシート３２及び拡散シート３３において、斯かるミシン目に沿って被掛止部３１２、被掛止部３２２及び被掛止部３３２を折り曲げて、夫々対応する掛止部４６との掛止を行う場合、以下のような問題が生じ得る。
【００６８】
例えば、図２に示したように、液晶表示パネル２側から拡散シート３３、プリズムシート３２、拡散シート３１の順に、保持部材４に取り付ける場合を例として説明する。すなわち、拡散シート３１よりはプリズムシート３２が液晶表示パネル２側に配置され、プリズムシート３２よりは拡散シート３３が液晶表示パネル２側に配置される。
【００６９】
この際、拡散シート３３の被掛止部３３２を保持部材４の対応する掛止部４６に掛止させると、被掛止部３３２がプリズムシート３２及び拡散シート３１の縁に跨ることになる。また、プリズムシート３２の被掛止部３２２を保持部材４の対応する掛止部４６に掛止させると、被掛止部３２２が拡散シート３１の縁に跨ることになる。従って、プリズムシート３２及び拡散シート３１の縁が拡散シート３３の被掛止部３３２に当たり、被掛止部３３２と当該掛止部４６との掛止の妨げになる。また、拡散シート３１の縁がプリズムシート３２の被掛止部３２２に当たり、被掛止部３２２と当該掛止部４６との掛止の妨げになる。
【００７０】
更に、拡散シート３３の被掛止部３３２がプリズムシート３２及び拡散シート３１の縁と当たることにより、かつ、プリズムシート３２の被掛止部３２２が拡散シート３１の縁と当たることにより、拡散シート３１、プリズムシート３２又は拡散シート３３の当該当たりに係る縁にて浮きが発生する虞もある。
【００７１】
これに対して、本実施の形態に係るテレビジョン受像機１００では、各単位シートにおいて他の単位シートの被掛止部と整合する位置に、凹部を形成している。以下、図８に基づいて、詳しく説明する。
【００７２】
上述したように、本実施の形態に係るテレビジョン受像機１００では、拡散シート３１、プリズムシート３２及び拡散シート３３において、被掛止部３１２、被掛止部３２２及び被掛止部３３２が、前記重ね方向において、相互異なる位置に設けられている。
【００７３】
また、拡散シート３１、プリズムシート３２及び拡散シート３３には、他の単位シートの被掛止部と整合する位置に、該他の単位シートの被掛止部の形状に倣う凹部を形成しており、斯かる他の単位シートの被掛止部の収容が可能である。
【００７４】
すなわち、拡散シート３１には、前記重ね方向において、プリズムシート３２の被掛止部３２２に整合する位置の縁、及び拡散シート３３の被掛止部３３２に整合する位置の縁に凹部３１３、３１３が夫々形成されている。また、プリズムシート３２には、前記重ね方向において、拡散シート３３の被掛止部３３２に整合する位置の縁、及び拡散シート３１の被掛止部３１２に整合する位置の縁に凹部３２３、３２３が夫々形成されている。かつ、拡散シート３３には、前記重ね方向において、プリズムシート３２の被掛止部３２２に整合する位置の縁、及び拡散シート３１の被掛止部３１２に整合する位置の縁に凹部３３３、３３３が夫々形成されている。
【００７５】
また、凹部３１３、凹部３２３及び凹部３３３は、当該辺に沿う方向を長手方向とする矩形を有しており、短手方向の寸法が、収容すべき被掛止部の厚みと同じまたは大きく、長手方向の寸法は収容すべき被掛止部の長手方向の寸法より大きい。
【００７６】
更に、以上の記載に限るものでなく、図９に示すように、それぞれの凹部は、各被掛止部の位置が近傍の場合は、隣り合う凹部がつながって一つの大きな凹部を形成し二個以上の被掛止部を同時に収容できる凹部であってもよい。
【００７７】
このような構成によって、本実施の形態に係るテレビジョン受像機１００においては、前記掛止の際、一の単位シートの縁に形成された凹部に他の単位シートの被掛止部が収容でき、一の単位シートの縁が他の単位シートの被掛止部に当たることを未然に防止できる。また、前記掛止の際、一の単位シートの縁が他の単位シートの被掛止部に当たるとしても、これが斯かる掛止の妨げになること及び当該縁にて浮きが発生することを極力低減させることが出来る。
【００７８】
また、本発明は以上の記載に限るものでない。拡散シート３１、プリズムシート３２及び拡散シート３３が、より液晶表示パネル２側に配された単位シートの被掛止部と、前記重ね方向において整合する位置に凹部を有するように構成しても良い。
【００７９】
図１０は本実施の形態の変形例に係るテレビジョン受像機１００における、拡散シート３１と、プリズムシート３２と、拡散シート３３とにおいて、各被掛止部の位置関係を示す説明図である。図１０に示したように、拡散シート３１に対しては、プリズムシート３２及び拡散シート３３がより液晶表示パネル２側に配置されているので、前記重ね方向において、被掛止部３２２及び被掛止部３３２と整合する位置の縁に凹部３１３が形成される。また、プリズムシート３２に対しては、より液晶表示パネル２側に配置されているものは拡散シート３３のみなので、前記重ね方向において、被掛止部３３２と整合する位置の縁にのみ凹部３２３が形成される。
【００８０】
換言すれば、拡散シート３１においては、被掛止部３２２及び被掛止部３３２に対応する凹部３１３，３１３を形成し、プリズムシート３２においては、被掛止部３３２に対応する凹部３２３のみを形成すればよく、拡散シート３３においての凹部３３３の形成は不要である。
【００８１】
このような構成によっても、上述したように、一の単位シートの縁が他の単位シートの被掛止部に当たることを未然に防止でき、かつ、前記掛止の際、一の単位シートの縁が他の単位シートの被掛止部に当たるとしても、これが斯かる掛止の妨げになること及び当該縁にて浮きが発生することを極力低減させることが出来る。
【００８２】
以上においては、拡散シート３１、プリズムシート３２及び拡散シート３３の各辺の縁に少なくとも１つの被掛止部が設けられている場合を例として説明した。しかし、本発明はこれに限るものでない。
【００８３】
例えば、拡散シート３１、プリズムシート３２及び拡散シート３３の４つの辺のうち、対応する２つの辺にのみ被掛止部を設けるように構成しても良い。これによって、組み立てにおける作業性が向上され、製造コストの低減を図ることが出来る。
【００８４】
以上の説明においては、テレビジョン受像機１００が直下型のバックライトを備えている表示装置である場合を例に挙げて説明したが、本発明はこれに限るものでなく、テレビジョン受像機１００がエッジ型のバックライトを備えている表示装置であっても良い。
【００８５】
以上の説明において光学シート３は、拡散シート３１、プリズムシート３２及び拡散シート３３を含む場合を例としたが、本発明はこれに限るものでない。シートの構成は多種多様であり、上述した以外の仕様においても本発明は有効である。
【００８６】
以上においては、単位シートの各辺の中央付近に前記被掛止部を設ける構成を例に挙げて説明したが、本発明はこれに限るものでない。矩形である前記単位シートにおいて、平行である２つの辺の縁の対向する位置に、前記被掛止部が夫々設けられている構成であっても良い。
換言すれば、前記単位シートにおいて、平行である何れか２つの辺の縁に、該２つの辺間の中央線に対して対称する位置に、前記被掛止部が夫々設けられていても良い。
【００８７】
更に、本発明は以上の記載に限るものでない。以下、詳しく説明する。
例えば、バックライトシャーシ９の側壁９１の外側に、保持部材４の位置を定める位置定め突起（位置決め部）を設け、かつ、保持部材４には該位置決め突起に対応する孔を設けることにより、斯かる位置決め突起及び孔の係合によって、バックライトシャーシ９に保持部材４が保持される構成であっても良い。この際、該位置決め部は、光学シート３の縁に沿う方向での側壁９１の中央付近、又は、掛止部４６の付近に設けられる。
【００８８】
これにより、前記保持部材４の膨張・収縮によって移動防止部４３及び掛止部４６の位置が移動され、光学シート３に影響を与えることを最小限に抑えることができる。
【符号の説明】
【００８９】
３  光学シート
４  保持部材
４３，４３Ａ  移動防止部
４６  掛止部
１００  テレビジョン受像機
３１２，３１２Ａ，３２２  被掛止部
３１４，３１４Ａ  ミシン目
３１５，３１５Ａ  凹部
【国際調査報告】
2017017792.tif 000013
2017017792.tif 000014
2017017792.tif 000015
2017017792.tif 000016